(57)【要約】【課題】筐体と磁気回路との結合剛性の低下や磁気回路の強度の低下させずに、筐体と磁気回路の熱膨張差による衝撃を軽減すること。【解決手段】磁気ディスクに対して情報の記録または再生を行う磁気ヘッドを備えたアクチュエータと、アクチュエータの移動を制御する磁気回路２０と、磁気ディスクとアクチュエータと磁気回路２０とを収納する筐体５０と、筐体５０の内壁と磁気回路２０との間に回転可能に設けられ、筐体５０と磁気回路２０とを相対的に移動可能に保持する球状保持ユニット３０と、を備える。【選択図】図２
2011008895.tif 000002
【特許請求の範囲】
【請求項１】
記録媒体に対して情報の記録または再生を行う磁気ヘッドを備えたアクチュエータと、
前記アクチュエータの移動を制御する磁気回路と、
前記記録媒体と前記アクチュエータと前記磁気回路とを収納する筐体と、
前記筐体の内壁と前記磁気回路との間に回転可能に設けられ、前記筐体と前記磁気回路とを相対的に移動可能に保持する保持部材と、
を備えることを特徴とする磁気ディスク装置。
【請求項２】
前記保持部材は、球状に形成され、
前記保持部材を収容し、前記保持部材の移動を案内する第１ガイド部をさらに備えることを特徴とする請求項１に記載の磁気ディスク装置。
【請求項３】
前記保持部材は、球状に形成され、
複数の前記保持部材と、中心部近傍に前記筐体へ取り付ける取付部材を貫通させる第１孔部が形成され、外周部近傍に前記保持部材の直径より小さい直径の複数の第２孔部が形成された２つの円板状部材とを備え、対峙して設けられた前記２つの円板状部材における対峙する前記複数の第２孔部よって前記複数の保持部材を挟持する球状保持ユニットをさらに備えることを特徴とする請求項１に記載の磁気ディスク装置。
【請求項４】
前記球状保持ユニットを収容し、前記球状保持ユニットの移動を案内する第２ガイド部をさらに備えたことを特徴とする請求項３に記載の磁気ディスク装置。
【請求項５】
前記保持部材は、円柱状で形成され、
前記保持部材を収容し、前記保持部材の移動を案内する第３ガイド部をさらに備えることを特徴とする請求項１に記載の磁気ディスク装置。
【請求項６】
前記保持部材は、円柱状で形成され、
複数の前記保持部材と、前記複数の保持部材を回転可能に接続する接続部材とを備えた円柱状保持ユニットをさらに備えることを特徴とする請求項１に記載の磁気ディスク装置。
【請求項７】
前記円柱状保持ユニットを収容し、前記円柱状保持ユニットの移動を案内する第４ガイド部をさらに備えることを特徴とする請求項６に記載の磁気ディスク装置。
【請求項８】
前記保持部材は、前記筐体および前記磁気回路の熱膨張差による移動量が最も多い方向に回転可能に配置されることを特徴とする請求項５〜７のいずれか一つに記載の磁気ディスク装置。
【発明の詳細な説明】
【技術分野】
【０００１】
本発明は、記録媒体に対して情報の記録または再生を行う磁気ディスク装置に関するものであり、特に、磁気ディスク装置における磁気回路の筐体への設置に関する。
【背景技術】
【０００２】
近年、磁気ディスク装置における記録容量の拡大にともなって、磁気ヘッドによる記録媒体に対する記録密度が向上している。そのため、磁気ディスクなどの記録媒体へ情報を記憶する精度を向上させることが重要になっている。このような磁気ディスク装置において、磁気ディスク上のトラックに対する磁気ヘッドの位置決め動作の駆動手段として使用される磁気回路には、ボイスコイルモータ（ＶＣＭ：Voice  Coil  Motor）が一般的に用いられている。また、磁気ディスク装置の筐体（ハウジング）は製造性のよいアルミダイカストにより形成されることが多く、磁気回路（ボイスコイルモータ）は強磁性が必要なため、鉄製のヨークとマグネットで形成される。
【０００３】
磁気回路を筐体に設置する場合、従来の磁気ディスク装置では、例えば、図２０に示すように、筐体５００と磁気回路２００とを直接接触させてネジ部材２５０、２６０により固定している。そして、磁気ディスクへの情報の記録または再生が開始されると、磁気ディスク装置の内部の温度が徐々に上昇し各部材に熱膨張が生じる。このとき、筐体５００と磁気回路２００の材質が異なっているため、筐体５００と磁気回路２００に熱膨張差が生じて、筐体５００と磁気回路２００の結合部（取り付け箇所）に応力が発生する。そして、ネジ部材２５０、２６０による固定力よりも熱膨張差による応力が上回った場合には、瞬間的に応力が開放されて筐体５００と磁気回路２００にインパルス状の衝撃が発生し、磁気ヘッドがその衝撃により揺動してエラーなどの不具合が生じる可能性がある。また、磁気ディスク装置が今後ますます高密度化した場合、わずかな衝撃でも情報を隣接トラックへ記録してしまい情報が消失する等の重大なエラーに繋がるため、衝撃は可能な限り軽減させることが重要である。
【０００４】
そこで、筐体と磁気回路との間に樹脂シートなどの部材を挟持したり、磁気回路を筐体に対して回転可自在に支持することで衝撃を緩和するものがある。例えば、特許文献１には、ハウジング（筐体）とボイスコイルモータ（磁気回路）との間に粘弾性部材を挟持した回転形情報記録再生装置が開示されている。また、特許文献２には、ハウジングに設けられた玉軸受によりキャリッジとは独立して磁気回路が回動可能に支持され、ハウジングとボイスコイルモータとの間に滑りガイドを挟持した磁気ディスク装置が開示されている。また、磁気回路に変形しやすい部分を設け、熱膨張により発生する応力を変形により吸収することで衝撃を緩和することも考えられる。
【先行技術文献】
【特許文献】
【０００５】
【特許文献１】特開平８−４５２０５号公報
【特許文献２】特開２０００−１３２９２７号公報
【発明の概要】
【発明が解決しようとする課題】
【０００６】
しかしながら、上記特許文献１、２の装置ように、筐体と磁気回路との間に粘弾性部材や滑りガイドなどの部材を挟持した場合、筐体と磁気回路の結合剛性が低下するため、磁気回路の動作時に振動が発生してしまう。また、磁気回路の変形によって衝撃を吸収させた場合、磁気回路の強度が低下し、磁気回路の動作時に振動が発生してしまう。
【０００７】
開示の技術は、上記に鑑みてなされたものであって、筐体と磁気回路との結合剛性の低下や磁気回路の強度の低下させずに、筐体と磁気回路の熱膨張差による衝撃を軽減する磁気ディスク装置を提供することを目的とする。
【課題を解決するための手段】
【０００８】
本願の開示する磁気ディスク装置は、一つの態様において、記録媒体に対して情報の記録または再生を行う磁気ヘッドを備えたアクチュエータと、前記アクチュエータの移動を制御する磁気回路と、前記記録媒体と前記アクチュエータと前記磁気回路とを収納する筐体と、前記筐体の内壁と前記磁気回路との間に回転可能に設けられ、前記筐体と前記磁気回路とを相対的に移動可能に保持する保持部材と、を備える。
【発明の効果】
【０００９】
本願の開示する磁気ディスク装置の一つの態様によれば、筐体と磁気回路との結合剛性の低下や磁気回路の強度の低下させずに、筐体と磁気回路の熱膨張差による衝撃を軽減できるという効果を奏する。
【図面の簡単な説明】
【００１０】
【図１】図１は、実施の形態１にかかる磁気ディスク装置の内部構成を示す概要図である。
【図２】図２は、実施の形態１にかかる磁気ディスク装置を示す断面図である。
【図３】図３は、図２の磁気ディスク装置の一部ａを示す拡大断面図である。
【図４】図４は、実施の形態１にかかる球状保持ユニットの構成を示す説明図である。
【図５】図５は、実施の形態２にかかる磁気ディスク装置を示す断面図である。
【図６】図６は、実施の形態３にかかる磁気ディスク装置を示す断面図である。
【図７】図７は、図６の磁気ディスク装置の一部ｂを示す拡大断面図である。
【図８】図８は、実施の形態３にかかる磁気ディスク装置の上面図である。
【図９】図９は、図８の磁気ディスク装置から磁気回路を外した場合の上面図である。
【図１０】図１０は、実施の形態４にかかる磁気ディスク装置を示す断面図である。
【図１１】図１１は、図１０の磁気ディスク装置の一部ｃを示す拡大断面図である。
【図１２】図１２は、実施の形態４にかかる球状保持ユニットの構成を示す説明図である。
【図１３】図１３は、実施の形態４にかかる磁気ディスク装置の上面図である。
【図１４】図１４は、図１３の磁気ディスク装置から磁気回路を外した場合の上面図である。
【図１５】図１５は、実施の形態５にかかる磁気ディスク装置を示す断面図である。
【図１６】図１６は、実施の形態６にかかる磁気ディスク装置を示す断面図である。
【図１７】図１７は、図１６の磁気ディスク装置の一部ｄを示す拡大断面図である。
【図１８】図１８は、実施の形態６にかかる磁気ディスク装置の上面図である。
【図１９】図１９は、図１８の磁気ディスク装置から磁気回路を外した場合の上面図である。
【図２０】図２０は、従来の磁気ディスク装置を示す断面図である。
【発明を実施するための形態】
【００１１】
以下に、本願の開示する磁気ディスク装置の実施の形態を図面に基づいて詳細に説明する。なお、この実施の形態によりこの発明が限定されるものではない。
【００１２】
（実施の形態１）
実施の形態１の磁気ディスク装置は、磁気ヘッドを用いて記録媒体である磁気ディスクに情報の記録または再生を行うものであり、磁気回路と筐体の内壁との間に保持部材を設けている。まず、磁気ディスク装置の概略について説明する。図１は、実施の形態１にかかる磁気ディスク装置の内部構成を示す概要図である。図１の磁気ディスク装置１は、磁気ディスク装置１の上蓋が取り外された状態である。図１に示すように磁気ディスク装置１は、アルミダイカストで形成された筐体（ハウジング）５０の内部に磁気ヘッド１１と、アクチュエータ１２と、磁気回路２０と、磁気ディスク１６、球状保持ユニット３０（図２〜４参照）等の各部品が収納されている。
【００１３】
磁気ヘッド１１は、再生素子と記録素子とを含んで構成された電磁変換素子が搭載されており、磁気ディスク１６に対して情報の記録または再生を行うものである。サスペンション１５は、アクチュエータ１２に接続され、先端に磁気ヘッド１１を支持している。また、サスペンション１５は、磁気ヘッド１１の振動を抑制するバネを有し、バネによって磁気ヘッド１１への衝撃を吸収している。アクチュエータ１２は、磁気ヘッド１１を支持するサスペンション１５に接続されて支軸１３周りに回動可能に配置されている。
【００１４】
磁気ディスク１６は、金属またはガラス製の円盤（ディスク）状の基板に磁性膜を形成した記憶媒体であり、スピンドルモータ（不図示）の回転軸に固定されている。磁気ディスク１６へ情報の記録を行う場合には、磁気ディスク１６の情報を記録する記録領域に磁気ヘッド１１から磁界をかけ、表面上の磁性体の磁化状態を変化させることによって情報を記録する。また、磁気ディスク１６から情報を読み出して再生する場合には、再生対象となる磁気ディスク１６上の記録領域に磁気ヘッド１１を移動させ、磁気ディスク１６の磁性体の磁化状態を読み取ってデータを再生する。
【００１５】
磁気回路２０は、鉄製の下側ヨーク部材２２（図２参照）と上側ヨーク部材２１（図２参照）の内部にマグネットが収められており、ネジ部材２５、２６によって筐体５０に設置されている。また、磁気回路２０の内部には、アクチュエータ１２における磁気ヘッド１１と反対側に設けられたコイルが挿入されている。そして、磁気回路２０は、マグネットにより発生された磁界と、通電されたコイルとによって駆動力を発生させてアクチュエータ１２の移動を制御する。
【００１６】
以上のように構成された磁気ディスク装置１は、磁気回路２０により移動を制御されたアクチュエータ１２が、磁気ディスク１６の所定の位置に移動し、アクチュエータ１２にサスペンション１５を介して備えられた磁気ヘッド１１によって磁気ディスク１６へ所望の情報を記録したり、所望の情報を再生する。
【００１７】
そして、磁気ディスク１６に情報の記録や再生が開始されると、上述したように、磁気ディスク装置１の内部の温度が徐々に上昇し、筐体５０や磁気回路２０に熱膨張が生じる。このとき、筐体５０と磁気回路２０の材質が異なっているため熱膨張差が生じて、この熱膨張差により筐体５０と磁気回路２０とが移動して相対的なずれが生じる。そこで、本実施の形態の磁気ディスク装置１は、磁気回路２０と筐体５０との間に球状保持ユニット３０（後述）を設けてそのずれによる不具合を解消するものであり、以下に詳細に説明する。
【００１８】
次に、磁気回路２０の筐体５０への設置について説明する。図２は、実施の形態１にかかる磁気ディスク装置を示す断面図である。図３は、図２の磁気ディスク装置の一部ａを示す拡大断面図である。図２、３に示すように、磁気回路２０は、上側ヨーク部材２１と下側ヨーク部材２２によって形成され、筐体５０の内部に収容されている。そして、磁気回路２０の上側ヨーク部材２１および下側ヨーク部材２２と、筐体５０とに設けられた孔部にネジ部材２５、２６が挿入されることで、磁気回路２０が筐体５０の内壁面に装着されている。
【００１９】
そして、図３に示すように、磁気ディスク装置１は、ネジ部材２５側の近傍の下側ヨーク部材２２と筐体５０の底面の内壁面との間に球状保持ユニット３０が設けられている。図４は、実施の形態１にかかる球状保持ユニットの構成を示す説明図である。球状保持ユニット３０は、筐体５０と磁気回路２０とを相対的に移動可能に保持するものである。図４に示すように、球状保持ユニット３０は、６つの球状保持部材３３と、２つの円板状部材３１、３２とを含んで構成されている。
【００２０】
球状保持部材３３は、球状に形成されており、回転可能な剛性部材である。
【００２１】
円板状部材３１、３２は、中心部近傍に磁気回路２０を筐体５０へ取り付けるねじ部材２５を貫通させる孔部３４が形成されている。この孔部３４は、ネジ部材２５の軸部の直径よりも直径が大きく、ネジ部材２５が貫通された場合に円板状部材３１、３２が移動可能な程度の遊びをもって形成されている。また、円板状部材３１、３２は、外周部近傍に球状保持部材３３の直径より小さい直径の６つの孔部３５がそれぞれ形成されている。
【００２２】
そして、球状保持ユニット３０は、円板状部材３１、３２を対峙させ、円板状部材３１、３２における対峙するそれぞれの孔部３５に、６つの球状保持部材３３をそれぞれ嵌め込むことで、円板状部材３１、３２の孔部３５によって６つの球状保持部材３３を挟持している。
【００２３】
なお、ここでは、円板状部材３１、３２に６つの孔部３５が形成され、６つの球状保持部材３３が円板状部材３１、３２により挟持されているが、これに限定されることなく、５つ以下、または７つ以上の球状保持部材３３を挟持する構成としてもよい。
【００２４】
図３に戻り、筐体５０の底面の内壁面には、球状保持ユニット３０を収容するガイド部５１が形成されている。このガイド部５１は、球状保持ユニット３０の直径より大きな直径で形成された孔部であって、筐体５０および磁気回路２０が各部材の熱膨張差によって球状保持部材３３が移動可能な程度の隙間を設けた孔部となっている。そして、筐体５０に形成されたガイド部５１に球状保持ユニット３０を収容することで、球状保持ユニット３０が磁気回路２０の下側ヨーク部材２２と筐体５０の内壁面との間に設けられることになる。そして、筐体５０および磁気回路２０が熱膨張した場合、球状保持ユニット３０はガイド部５１に案内されながら移動する。
【００２５】
そして、磁気ディスク１６への情報の記録や再生等により、磁気ディスク装置１の内部の温度が上昇して磁気回路２０および筐体５０が熱膨張すると、各部材の熱膨張差により応力が生じて磁気回路２０と筐体５０とに相対的なずれが生じる。このとき、球状保持ユニット３０の球状保持部材３３が微小に転がることにより、その相対的なずれを逃がすことができる。
【００２６】
このように、実施の形態１の磁気ディスク装置１は、筐体５０に形成されたガイド部５１に球状保持ユニット３０を収容することで、磁気回路２０と筐体５０の内壁面との間に球状保持ユニット３０を設ける。そして、球状保持ユニット３０が磁気回路２０と筐体５０とを相対的に移動可能に保持することで、筐体５０と磁気回路２０との熱膨張差による相対的なずれを逃がし、筐体５０と磁気回路２０の熱膨張差による衝撃を軽減できる。また、筐体５０と磁気回路２０との間に樹脂シートなどの部材を挟持していないため、筐体５０と磁気回路２０との結合剛性の低下や磁気回路の強度の低下させることもない。
【００２７】
また、磁気ディスク装置１は、組み立ての際、筐体５０のガイド部５１に球状保持ユニット３０を収容して、ネジ部材２５により磁気回路２０を筐体５０にネジ止めすればよいため、容易に組立てることができる。
【００２８】
（実施の形態２）
実施の形態１の磁気ディスク装置１は、ネジ部材２５側に球状保持ユニット３０を備えた構成であった。これに対して、実施の形態２の磁気ディスク装置は、ネジ部材２５、２６側の両方に球状保持ユニット３０を備えた構成となっている。
【００２９】
図５は、実施の形態２にかかる磁気ディスク装置を示す断面図である。図５に示すように、本実施の形態の磁気ディスク装置２の磁気回路２０は、実施の形態１と同様に、上側ヨーク部材２１と下側ヨーク部材２２によって形成され、筐体５０の内部に収容されている。そして、磁気回路２０の上側ヨーク部材２１および下側ヨーク部材２２と、筐体５０とに設けられた孔部にネジ部材２５、２６が挿入されることで、磁気回路２０が筐体５０の内壁面に装着されている。
【００３０】
そして、図５に示すように、磁気ディスク装置２は、ネジ部材２５側近傍およびネジ部材２６側近傍の下側ヨーク部材２２と筐体５０の底面の内壁面との間に、それぞれ球状保持ユニット３０が設けられている。ここで、球状保持ユニット３０は、実施の形態１と同様であるため説明を省略する。
【００３１】
筐体５０の底面の内壁面には、球状保持ユニット３０を収容するガイド部５１がネジ部材２５側およびネジ部材２６側それぞれに形成されている。ここで、ガイド部５１は、実施の形態１と同様であるため説明を省略する。
【００３２】
そして、磁気ディスク１６への情報の記録や再生等により、磁気ディスク装置２の内部の温度が上昇して磁気回路２０および筐体５０が熱膨張すると、各部材の熱膨張差により応力が生じて磁気回路２０と筐体５０とに相対的なずれが生じる。このとき、２つの球状保持ユニット３０の球状保持部材３３が微小に転がることにより、その相対的なずれを逃がすことができる。
【００３３】
このように、実施の形態２の磁気ディスク装置２は、筐体５０に形成されたガイド部５１に２つの球状保持ユニット３０を収容することで、磁気回路２０と筐体５０の内壁面との間に球状保持ユニット３０を設ける。そして、２つの球状保持ユニット３０が磁気回路２０と筐体５０とを相対的に移動可能に保持することで、筐体５０と磁気回路２０との熱膨張差による相対的なずれを逃がし、筐体５０と磁気回路２０の熱膨張差による衝撃を軽減できる。また、筐体５０と磁気回路２０との間に樹脂シートなどの部材を挟持していないため、筐体５０と磁気回路２０との結合剛性の低下や磁気回路の強度の低下させることもない。
【００３４】
さらに、実施の形態２の磁気ディスク装置２は、球状保持ユニット３０を２つ設けているため、球状保持ユニット３０を１つ設けている場合と比較すると、微小な高さのずれを防止でき、対称性の重視を所望する場合には有効となる。
【００３５】
（実施の形態３）
実施の形態１の磁気ディスク装置１は、球状保持部材３３を設けた球状保持ユニット３０を備えた構成であった。これに対して、実施の形態３の磁気ディスク装置は、球状保持部材３３を備えた構成となっている。
【００３６】
図６は、実施の形態３にかかる磁気ディスク装置を示す断面図である。図７は、図６の磁気ディスク装置の一部ｂを示す拡大断面図である。図６、７に示すように、本実施の形態の磁気ディスク装置３の磁気回路２０は、実施の形態１と同様に、上側ヨーク部材２１と下側ヨーク部材２２によって形成され、筐体５０の内部に収容されている。そして、磁気回路２０の上側ヨーク部材２１および下側ヨーク部材２２と、筐体５０とに設けられた孔部にネジ部材２５、２６が挿入されることで、磁気回路２０が筐体５０の内壁面に装着されている。
【００３７】
そして、図７に示すように、磁気ディスク装置３は、ネジ部材２５側の近傍の下側ヨーク部材２２と筐体５０の底面の内壁面との間に球状保持部材３３が設けられている。この球状保持部材３３は、実施の形態１の球状保持ユニット３０の円板状部材３１、３２が挟持している球状保持部材３３と同様である。図８は、実施の形態３にかかる磁気ディスク装置の上面図である。図９は、図８の磁気ディスク装置から磁気回路を外した場合の上面図である。球状保持部材３３は、筐体５０と磁気回路２０とを相対的に移動可能に保持するものであり、図８、９に示すように、３つの球状保持部材３３がネジ部材２５の周囲近傍に均等な距離をおいて配置されている。なお、ここでは、３つの球状保持部材３３が設けられているが、これに限定されることなく、２つ、または４つ以上の球状保持部材３３を設けた構成としてもよい。
【００３８】
図７、９に示すように、筐体５０の底面の内壁面には、球状保持部材３３を収容するガイド部５２が形成されている。このガイド部５２は、球状保持部材３３の直径より大きな直径の孔部であって、筐体５０および磁気回路２０が各部材の熱膨張差によって移動可能な程度の隙間を設けた孔部となっている。そして、筐体５０に形成されたガイド部５２に球状保持部材３３を収容することで、球状保持部材３３が磁気回路２０の下側ヨーク部材２２と筐体５０の内壁面との間に設けられることになる。そして、筐体５０および磁気回路２０が熱膨張した場合、球状保持部材３３はガイド部５２に案内されながら移動する。
【００３９】
そして、磁気ディスク１６への情報の記録や再生等により、磁気ディスク装置３の内部の温度が上昇して磁気回路２０および筐体５０が熱膨張すると、各部材の熱膨張差により応力が生じて磁気回路２０と筐体５０とに相対的なずれが生じる。このとき、球状保持部材３３が微小に転がることにより、その相対的なずれを逃がすことができる。
【００４０】
このように、実施の形態３の磁気ディスク装置３は、筐体５０に形成されたガイド部５２に球状保持部材３３を収容することで、磁気回路２０と筐体５０の内壁面との間に球状保持部材３３を設ける。そして、球状保持部材３３が磁気回路２０と筐体５０とを相対的に移動可能に保持することで、筐体５０と磁気回路２０との熱膨張差による相対的なずれを逃がし、筐体５０と磁気回路２０の熱膨張差による衝撃を軽減できる。また、筐体５０と磁気回路２０との間に樹脂シートなどの部材を挟持していないため、筐体５０と磁気回路２０との結合剛性の低下や磁気回路の強度の低下させることもない。
【００４１】
さらに、実施の形態３の磁気ディスク装置３は、球状保持部材３３のみを設けているため、球状保持部材３３を挟持して構成された球状保持ユニット３０（実施の形態１参照）と比較すると、高い寸法精度が得られるとともに、部品点数を軽減することができるため、磁気ディスク装置３をより低コストで製造することができる。
【００４２】
（実施の形態４）
実施の形態１の磁気ディスク装置１は、球状保持ユニット３０を備えた構成であった。これに対して、実施の形態４の磁気ディスク装置は、円柱状部材を設けたユニットを備えた構成となっている。
【００４３】
図１０は、実施の形態４にかかる磁気ディスク装置を示す断面図である。図１１は、図１０の磁気ディスク装置の一部ｃを示す拡大断面図である。図１０、１１に示すように、本実施の形態の磁気ディスク装置４の磁気回路２０は、実施の形態１と同様に、上側ヨーク部材２１と下側ヨーク部材２２によって形成され、筐体５０の内部に収容されている。そして、磁気回路２０の上側ヨーク部材２１および下側ヨーク部材２２と、筐体５０とに設けられた孔部にネジ部材２５、２６が挿入されることで、磁気回路２０が筐体５０の内壁面に装着されている。
【００４４】
そして、図１１に示すように、磁気ディスク装置４は、ネジ部材２５側の近傍の下側ヨーク部材２２と筐体５０の底面の内壁面との間に円柱状保持ユニット４０が設けられている。図１２は、実施の形態４にかかる円柱状保持ユニットの構成を示す説明図である。円柱状保持ユニット４０は、筐体５０と磁気回路２０とを相対的に移動可能に保持するものである。図１２に示すように、円柱状保持ユニット４０は、２つの円柱状保持部材４１と、２つの接続部材４２とを含んで構成されている。
【００４５】
円柱状保持部材４１は、円柱状に形成されており、外周に沿って回転可能な剛性部材である。そして、円柱状保持部材４１の両端部近傍には、接続部材４２を取り付けるための溝が外周に沿って形成されている。
【００４６】
接続部材４２は、２つの円柱状保持部材４１に形成された溝に掛架され、２つの円柱状保持部材４１を回転可能な状態に接続している。
【００４７】
図１１に戻り、筐体５０の底面の内壁面には、円柱状保持ユニット４０を収容するガイド部５３が形成されている。このガイド部５３は、２つの円柱状保持部材４１が収容可能な大きさに形成された孔部であって、筐体５０および磁気回路２０が各部材の熱膨張差によって円柱状保持部材４１が移動可能な程度の隙間を設けた孔部となっている。図１３は、実施の形態４にかかる磁気ディスク装置の上面図である。図１４は、図１３の磁気ディスク装置から磁気回路を外した場合の上面図である。
【００４８】
図１１、１３、１４に示すように、円柱状保持ユニット４０は、筐体５０に形成されたガイド部５３に収容される。そして、円柱状保持ユニット４０は、磁気ディスク１６への情報の記録や再生等によって磁気ディスク装置４の内部の温度が上昇した場合に、筐体５０および磁気回路２０の熱膨張差による移動量が最も多い方向に円柱状保持部材４１が回転可能に配置される。つまり、図１４では、磁気ディスク装置４の内部の温度が上昇した場合に、筐体５０および磁気回路２０の熱膨張差による移動量が最も多い方向がＡ方向であるとすると、Ａ方向と同方向であるＢ方向に円柱状保持部材４１が回転可能となるように、円柱状保持ユニット４０をガイド部５３に配置して収容する。これによって、円柱状保持ユニット４０が磁気回路２０の下側ヨーク部材２２と筐体５０の内壁面との間に設けられることになる。そして、筐体５０および磁気回路２０が熱膨張した場合、円柱状保持ユニット４０はガイド部５３に案内されながら移動する。
【００４９】
そして、磁気ディスク１６への情報の記録や再生等により、磁気ディスク装置４の内部の温度が上昇して磁気回路２０および筐体５０が熱膨張すると、各部材の熱膨張差により応力が生じて磁気回路２０と筐体５０とに相対的なずれが生じる。このとき、円柱状保持ユニット４０の円柱状保持部材４１が微小に転がることにより、その相対的なずれを逃がすことができる。
【００５０】
このように、実施の形態４の磁気ディスク装置４は、筐体５０に形成されたガイド部５３に円柱状保持ユニット４０を収容することで、磁気回路２０と筐体５０の内壁面との間に円柱状保持ユニット４０を設ける。そして、円柱状保持ユニット４０が磁気回路２０と筐体５０とを相対的に移動可能に保持することで、筐体５０と磁気回路２０との熱膨張差による相対的なずれを逃がし、筐体５０と磁気回路２０の熱膨張差による衝撃を軽減できる。また、筐体５０と磁気回路２０との間に樹脂シートなどの部材を挟持していないため、筐体５０と磁気回路２０との結合剛性の低下や磁気回路の強度の低下させることもない。
【００５１】
また、磁気ディスク装置４は、組立ての際、筐体５０のガイド部５３に円柱状保持ユニット４０を収容して、ネジ部材２５により磁気回路２０を筐体５０にネジ止めすればよいため、容易に組立てることができる。
【００５２】
（実施の形態５）
実施の形態５の磁気ディスク装置５は、ネジ部材２５側に円柱状保持ユニット４０を備えた構成であった。これに対して、実施の形態５の磁気ディスク装置は、ネジ部材２５、２６側の両方に円柱状保持ユニット４０を備えた構成となっている。
【００５３】
図１５は、実施の形態５にかかる磁気ディスク装置を示す断面図である。図１５に示すように、本実施の形態の磁気ディスク装置５の磁気回路２０は、実施の形態１と同様に、上側ヨーク部材２１と下側ヨーク部材２２によって形成され、筐体５０の内部に収容されている。そして、磁気回路２０の上側ヨーク部材２１および下側ヨーク部材２２と、筐体５０とに設けられた孔部にネジ部材２５、２６が挿入されることで、磁気回路２０が筐体５０の内壁面に装着されている。
【００５４】
そして、図１５に示すように、磁気ディスク装置５は、ネジ部材２５側近傍およびネジ部材２６側近傍の下側ヨーク部材２２と筐体５０の底面の内壁面との間に、それぞれ円柱状保持ユニット４０が設けられている。ここで、円柱状保持ユニット４０は、実施の形態４と同様であるため説明を省略する。
【００５５】
筐体５０の底面の内壁面には、円柱状保持ユニット４０を収容するガイド部５３がネジ部材２５側およびネジ部材２６側それぞれに形成されている。ここで、ガイド部５３は、実施の形態４と同様であるため説明を省略する。
【００５６】
そして、磁気ディスク１６への情報の記録や再生等により、磁気ディスク装置５の内部の温度が上昇して磁気回路２０および筐体５０が熱膨張すると、各部材の熱膨張差により応力が生じて磁気回路２０と筐体５０とに相対的なずれが生じる。このとき、２つの円柱状保持ユニット４０の円柱状保持部材４１が微小に転がることにより、その相対的なずれを逃がすことができる。
【００５７】
このように、実施の形態５の磁気ディスク装置５は、筐体５０に形成されたガイド部５１に２つの円柱状保持ユニット４０を収容することで、磁気回路２０と筐体５０の内壁面との間に円柱状保持ユニット４０を設ける。そして、２つの円柱状保持ユニット４０が磁気回路２０と筐体５０とを相対的に移動可能に保持することで、筐体５０と磁気回路２０との熱膨張差による相対的なずれを逃がし、筐体５０と磁気回路２０の熱膨張差による衝撃を軽減できる。また、筐体５０と磁気回路２０との間に樹脂シートなどの部材を挟持していないため、筐体５０と磁気回路２０との結合剛性の低下や磁気回路の強度の低下させることもない。
【００５８】
さらに、実施の形態５の磁気ディスク装置５は、円柱状保持ユニット４０を２つ設けているため、円柱状保持ユニット４０を１つ設けている場合と比較すると、微小な高さのずれを防止でき、対称性の重視を所望する場合には有効となる。
【００５９】
（実施の形態６）
実施の形態４の磁気ディスク装置４は、円柱状保持部材４１を設けた円柱状保持ユニット４０を備えた構成であった。これに対して、実施の形態６の磁気ディスク装置は、円柱状保持部材４１を備えた構成となっている。
【００６０】
図１６は、実施の形態６にかかる磁気ディスク装置を示す断面図である。図１７は、図１６の磁気ディスク装置の一部ｄを示す拡大断面図である。図１６、１７に示すように、本実施の形態の磁気ディスク装置６の磁気回路２０は、実施の形態１と同様に、上側ヨーク部材２１と下側ヨーク部材２２によって形成され、筐体５０の内部に収容されている。そして、磁気回路２０の上側ヨーク部材２１および下側ヨーク部材２２と、筐体５０とに設けられた孔部にネジ部材２５、２６が挿入されることで、磁気回路２０が筐体５０の内壁面に装着されている。
【００６１】
そして、図１７に示すように、磁気ディスク装置６は、ネジ部材２５側の近傍の下側ヨーク部材２２と筐体５０の底面の内壁面との間に円柱状保持部材４１が設けられている。この円柱状保持部材４１は、実施の形態４の円柱状保持ユニット４０の接続部材４２に接続されている円柱状保持部材４２と同様である。図１８は、実施の形態６にかかる磁気ディスク装置の上面図である。図１９は、図１８の磁気ディスク装置から磁気回路を外した場合の上面図である。円柱状保持部材４１は、筐体５０と磁気回路２０とを相対的に移動可能に保持するものであり、図１８、１９に示すように、２つの円柱状保持部材４１がネジ部材２５を挿入する孔部を挟んで１８０度対向する位置に配置されている。なお、ここでは、２つの円柱状保持部材４１が設けられているが、これに限定されることなく、１つ、または３つ以上の円柱状保持部材４１を設けた構成としてもよい。
【００６２】
図１７、１９に示すように、筐体５０の底面の内壁面には、円柱状保持部材４１を収容するガイド部５４が形成されている。このガイド部５４は、円柱状保持部材４１の直径より大きな距離で形成された孔部であって、筐体５０および磁気回路２０が各部材の熱膨張差によって円柱状保持部材４１が移動可能な程度の隙間を設けた孔部となっている。そして、筐体５０に形成されたガイド部５４に円柱状保持部材４１を収容することで、円柱状保持部材４１が磁気回路２０の下側ヨーク部材２２と筐体５０の内壁面との間に設けられることになる。そして、筐体５０および磁気回路２０が熱膨張した場合、円柱状保持部材４１はガイド部５４に案内されながら移動する。
【００６３】
そして、磁気ディスク１６への情報の記録や再生等により、磁気ディスク装置６の内部の温度が上昇して磁気回路２０および筐体５０が熱膨張すると、各部材の熱膨張差により応力が生じて磁気回路２０と筐体５０とに相対的なずれが生じる。このとき、円柱状保持部材４１が微小に転がることにより、その相対的なずれを逃がすことができる。
【００６４】
このように、実施の形態６の磁気ディスク装置６は、筐体５０に形成されたガイド部５４に円柱状保持部材４１を収容することで、磁気回路２０と筐体５０の内壁面との間に円柱状保持部材４１を設ける。そして、円柱状保持部材４１が磁気回路２０と筐体５０とを相対的に移動可能に保持することで、筐体５０と磁気回路２０との熱膨張差による相対的なずれを逃がし、筐体５０と磁気回路２０の熱膨張差による衝撃を軽減できる。また、筐体５０と磁気回路２０との間に樹脂シートなどの部材を挟持していないため、筐体５０と磁気回路２０との結合剛性の低下や磁気回路の強度の低下させることもない。
【００６５】
さらに、実施の形態６の磁気ディスク装置６は、円柱状保持部材４１のみを設けているため、円柱状保持部材４１を挟持して構成された円柱状保持ユニット４０（実施の形態４参照）と比較すると、高い寸法精度が得られるとともに、部品点数を軽減することができるため、磁気ディスク装置６をより低コストで製造することができる。
【符号の説明】
【００６６】
１，２，３，４，５，６  磁気ディスク装置
１１  磁気ヘッド
１２  アクチュエータ
１３  支軸
１５  サスペンション
１６  磁気ディスク
２０  磁気回路
２１  上側ヨーク部材
２２  下側ヨーク部材
２５，２６  ネジ部材
３０  球状保持ユニット
３１，３２  円板状部材
３３  球状保持部材
３４，３５  孔部
４０  円柱状保持ユニット
４１  円柱状保持部材
４２  接続部材
５０  筐体
５１，５２，５３，５４  ガイド部
【図１】
2011008895.tif 000003
【図２】
2011008895.tif 000004
【図３】
2011008895.tif 000005
【図４】
2011008895.tif 000006
【図５】
2011008895.tif 000007
【図６】
2011008895.tif 000008
【図７】
2011008895.tif 000009
【図８】
2011008895.tif 000010
【図９】
2011008895.tif 000011
【図１０】
2011008895.tif 000012
【図１１】
2011008895.tif 000013
【図１２】
2011008895.tif 000014
【図１３】
2011008895.tif 000015
【図１４】
2011008895.tif 000016
【図１５】
2011008895.tif 000017
【図１６】
2011008895.tif 000018
【図１７】
2011008895.tif 000019
【図１８】
2011008895.tif 000020
【図１９】
2011008895.tif 000021
【図２０】
2011008895.tif 000022